(57)【要約】【課題】展示物の大きさや長さに応じて展示物を展示する展示面の領域を可変に調整し、しかも簡単に組立てることを可能とする展示物の支持体を提供することを目的とする。【解決手段】展示物の支持体１は、中間構成体２と、右側構成体３と、左側構成体４を備え、中間構成体２の右側には右側構成体３が組立てるように連結され、中間構成体２の左側には左側構成体４が組立てるように連結される。中間構成体２に対し、左右の各構成体３、４は矢印Ｘ方向にスライド可能とされ、これにより展示物の展示載置領域５を可変に調整することが可能となる。【選択図】  図１
0003160580.tif 000002
【実用新案登録請求の範囲】
【請求項１】
全体紙製の扁平材を折り込んで構成される各構成材を組立て、内部上面に展示物を載置し、展示物を看者に向けて展示可能に収容する展示物の支持体であって、  全体方形状の紙製扁平材を折り込み、少なくとも上面に展示物を載置するため方形状の展示面部と、展示面部の後方側に展示面部に対してＬ字状をなすように略直角に立設され、展示面部の前方側の看者に対し、展示面部上に載置される展示物の背景をなす状態とされる背景面部と、を備える中間構成体と、
上記中間構成体に対し、中間構成体の展示面部の前面側の看者から観た右側に連結するようにして組立てられ、全体紙製の扁平材を折り込んで構成され、少なくとも、中間構成体の展示面部と重合する状態でスライド可能に連接され、上面を展示物を載置するための載置面とした右展示面部と、右展示面部の右方側に右展示面部に対してＬ字状をなすように略直角に立設され、右展示面部上に載置される展示物の右側位置を規制する右側面部を備えるとともに、全体紙製の扁平材からなり、右展示面部の後方側に右展示面部に対してＬ字状をなすように略直角に立設する状態で接続され、かつ中間構成体の展示面部と重合する状態でスライド可能に連接され、右展示面部の前方側の看者に対し、右展示面部上に載置される展示物の背景をなす状態とされる右背景面部と、を備える右側構成体と、
上記中間構成体に対し、中間構成体の展示面部の前面側の看者から観た左側に連結するようにして組立てられ、全体紙製の扁平材を折り込んで構成され、少なくとも、中間構成体の展示面部と重合する状態でスライド可能に連接され、上面を展示物を載置するための載置面とした左展示面部と、左展示面部の左方側に左展示面部に対してＬ字状をなすように略直角に立設され、左展示面部上に載置される展示物の左側位置を規制する左側面部を備えるとともに、全体紙製の扁平材からなり、左展示面部の後方側に左展示面部に対してＬ字状をなすように略直角に立設する状態で接続され、かつ中間構成体の展示面部と重合する状態で左展示面部の前面側の看者に対し、左展示面部上に載置される展示物の背景をなす状態とされる左背景面部と、を備える左側構成体と、
を備えたことを特徴とする展示物の支持体。
【請求項２】
請求項１において、中間構成体の展示面部、あるいは背景面部には、その左右方向に延設されるスリットが形成され、一方該展示面部と重合する状態で連接される右展示面部と左展示面部、あるいは中間構成体の背景面部と重合する状態で連接される右背景面部と左背景面部には、上記スリットに係合可能とされる係合片が形成され、該係合片を各面部を構成する紙製の扁平材を切り起こして形成したことを特徴とする展示物の支持体。
【請求項３】
請求項１において、中間構成体の展示面部と重合する状態で連接される右展示面部と左展示面部、あるいは中間構成体の背景面部と重合する状態で連接される右背景面部と左背景面部には、それぞれの左右方向に延設されてスリットが形成され、一方該右展示面部と左展示面部と重合する状態で連接される中間構成体の展示面部、あるいは右背景面部と左背景面部と重合する状態で連接される中間構成体の背景面部には、それぞれ上記各面部に形成されたスリットと係合可能とされる係合片が形成され、該係合片を各面部を構成する紙製の扁平材を切り起こして形成したことを特徴とする展示物の支持体。
【請求項４】
請求項１において、中間構成体の展示面部の前方側には、展示面部に対してＬ字状をなすように略直角に立設され、展示面部上に載置される展示物の前方位置を規制する前方フラップを備えることとした展示物の支持体。
【請求項５】
請求項１において、右側構成体の右展示面部の前方側、あるいは左側構成体の左展示面部の前方側には、各展示面部に対してＬ字状をなすように略直角に立設され、各展示面部上に載置される展示物の前方位置を規制する前方フラップを備えることとした展示物の支持体。
【考案の詳細な説明】
【技術分野】
【０００１】
本考案は、例えば店舗やショーウィンドウなどにおいて、商品等の展示物を看者に向けて展示する際に使用され、扁平な紙材を折り込み、簡単に組立てて展示物を支持し、展示可能な展示物の支持体に関する。
【背景技術】
【０００２】
店舗やショーウィンドウ内においては、商品等の展示物を展示するため下記特許文献１に示す箱状の商品展示用組立箱が用いられる。この組立箱は全体扁平な紙材を折り込み、商品を載置し、展示するための展示面の周囲に側面板を立上げるようにして構成されるものである。すなわち、この組立箱は、内部上面の展示面に展示物を収容し、看者に向けて展示面上の展示物を展示可能としている。特に特許文献１に係る組立箱においては、組立箱の底部に脚体を備えるようにし、展示面を看者側に向けて斜めに立上げるようにしている。
【先行技術文献】
【特許文献】
【０００３】
【特許文献１】特開平１０−２３６４５８号
【０００４】
ところで、展示物としての商品には、様々な大きさや長さのものが存在し、上記従来の紙製の組立箱においては、決まった大きさの展示面しか存在しないため、展示物の大きさや長さによっては展示面内に収まりきれない場合があった。このため、こうした従来の組立箱にあっては、展示物の大きさや長さに応じ、予め展示面の大きさが様々に異なる複数種のものを用意せざるを得ない不具合があった。
【考案の概要】
【考案が解決しようとする課題】
【０００５】
本考案は、こうした不具合に着目してなされたものであり、展示物の大きさや長さに応じて展示物を展示する展示面の領域を可変に調整し、しかも簡単に組立てることを可能とする展示物の支持体を提供することを目的としている。
【課題を解決するための手段】
【０００６】
上記目的を達成するため、本考案の請求項１は、全体紙製の扁平材を折り込んで構成される各構成材を組立て、内部上面に展示物を載置し、展示物を看者に向けて展示可能に収容する展示物の支持体であって、  全体方形状の紙製扁平材を折り込み、少なくとも上面に展示物を載置するため方形状の展示面部と、展示面部の後方側に展示面部に対してＬ字状をなすように略直角に立設され、展示面部の前方側の看者に対し、展示面部上に載置される展示物の背景をなす状態とされる背景面部と、を備える中間構成体と、上記中間構成体に対し、中間構成体の展示面部の前面側の看者から観た右側に連結するようにして組立てられ、全体紙製の扁平材を折り込んで構成され、少なくとも、中間構成体の展示面部と重合する状態でスライド可能に連接され、上面を展示物を載置するための載置面とした右展示面部と、右展示面部の右方側に右展示面部に対してＬ字状をなすように略直角に立設され、右展示面部上に載置される展示物の右側位置を規制する右側面部を備えるとともに、全体紙製の扁平材からなり、右展示面部の後方側に右展示面部に対してＬ字状をなすように略直角に立設する状態で接続され、かつ中間構成体の展示面部と重合する状態でスライド可能に連接され、右展示面部の前方側の看者に対し、右展示面部上に載置される展示物の背景をなす状態とされる右背景面部と、を備える右側構成体と、上記中間構成体に対し、中間構成体の展示面部の前面側の看者から観た左側に連結するようにして組立てられ、全体紙製の扁平材を折り込んで構成され、少なくとも、中間構成体の展示面部と重合する状態でスライド可能に連接され、上面を展示物を載置するための載置面とした左展示面部と、左展示面部の左方側に左展示面部に対してＬ字状をなすように略直角に立設され、左展示面部上に載置される展示物の左側位置を規制する左側面部を備えるとともに、全体紙製の扁平材からなり、左展示面部の後方側に左展示面部に対してＬ字状をなすように略直角に立設する状態で接続され、かつ中間構成体の展示面部と重合する状態で左展示面部の前面側の看者に対し、左展示面部上に載置される展示物の背景をなす状態とされる左背景面部と、を備える左側構成体と、を備えたことを特徴とする展示物の支持体としている。
【０００７】
また本考案の請求項２は、請求項１において、中間構成体の展示面部、あるいは背景面部には、その左右方向に延設されるスリットが形成され、一方該展示面部と重合する状態で連接される右展示面部と左展示面部、あるいは中間構成体の背景面部と重合する状態で連接される右背景面部と左背景面部には、上記スリットに係合可能とされる係合片が形成され、該係合片を各面部を構成する紙製の扁平材を切り起こして形成したことを特徴とする展示物の支持体としている。
【０００８】
また本考案の請求項３は、請求項１において、中間構成体の展示面部と重合する状態で連接される右展示面部と左展示面部、あるいは中間構成体の背景面部と重合する状態で連接される右背景面部と左背景面部には、それぞれの左右方向に延設されてスリットが形成され、一方該右展示面部と左展示面部と重合する状態で連接される中間構成体の展示面部、あるいは右背景面部と左背景面部と重合する状態で連接される中間構成体の背景面部には、それぞれ上記各面部に形成されたスリットと係合可能とされる係合片が形成され、該係合片を各面部を構成する紙製の扁平材を切り起こして形成したことを特徴とする展示物の支持体としている。
【０００９】
また本考案の請求項４は、請求項１において、中間構成体の展示面部の前方側には、展示面部に対してＬ字状をなすように略直角に立設され、展示面部上に載置される展示物の前方位置を規制する前方フラップを備えることとした展示物の支持体としている。
【００１０】
また本考案の請求項５は、請求項１において、右側構成体の右展示面部の前方側、あるいは左側構成体の左展示面部の前方側には、各展示面部に対してＬ字状をなすように略直角に立設され、各展示面部上に載置される展示物の前方位置を規制する前方フラップを備えることとした展示物の支持体としている。
【考案の効果】
【００１１】
本考案の請求項１によれば、中間構成体上の展示面部とこれに連接される右側構成体の右展示面部、左側構成体の左展示面部とで構成される展示物の展示載置領域、さらに右側構成体の右側面部と左側構成体の左側面部間の長さを、中間構成体に対する左右の構成体のスライドにより、可変に調整することが可能となり、展示面部、あるいは左右の展示面部上に載置され、かつ背景面部あるいは左右の背景面部と左右の側面部間で位置規制する展示物の大きさや長さに応じて、展示物を確実に展示することが可能となる。しかも、中間構成体と左右の各構成体は、それぞれ紙製の扁平材を折り込み、組立てることが可能なため、極めて利便性が高い。
【００１２】
また本考案の請求項２によれば、中間構成体の展示面部、あるいは背景面部の左右方向に延設される状態で形成されるスリットに対し、左右の構成体の右展示面部、左展示面部、あるいは右背景面部、左背景面部に形成される係合片が係合されるため、中間構成体に対し、左右の構成体がスリットにガイドされる状態でスライドされることとなり、各中間構成体に対する左右の構成体の連結状態が確実とされる。
【００１３】
また本考案の請求項３によれば、中間構成体の展示面部と重合する状態で連接される右展示面部と左展示面部、あるいは中間構成体の背景面部と重合する状態で連接される右背景面部と左背景面部に左右方向に延設されるスリットが形成され、一方該右展示面部と左展示面部と重合する状態で連接される中間構成体の展示面部、あるいは右背景面部と左背景面部と重合する状態で連接される中間構成体の背景面部には、それぞれ上記各面部に形成されたスリットと係合可能とされる係合片が形成される。このため中間構成体に対し、左右の構成体がスリットにガイドされる状態でスライドされることとなり、各中間構成体に対する左右の構成体の連結状態が確実とされる。
【００１４】
さらに本考案の請求項４あるいは請求項５によれば、中間構成体の展示面部の前方側、あるいは左右の構成体の展示面部の前方側に展示物の前方位置を規制する前方フラップが備えられるため、展示物の各展示面部上での確実な載置（支持）が可能となる。
【図面の簡単な説明】
【００１５】
【図１】本考案の一実施形態に係る展示物の支持体の組立状態を前方側から観た斜視図である。
【図２】展示物の支持体の組立状態を後方側から観た斜視図である。
【図３】中間構成体を構成する紙製扁平材を折り込み、組立てる状態を示す斜視図である。
【図４】右側構成体を構成する紙製の扁平材を折り込み、組立てる状態を示す斜視図である。
【図５】右側構成体を構成する紙製の扁平材を折り込み、組立てる状態を示す斜視図である。
【図６】展示物の支持体を構成する各扁平材を示す展開図である。
【考案を実施するための形態】
【００１６】
以下、本考案の一実施形態を図１ないし図６に基づいて説明する。図１に示す展示物の支持体１は、前方から矢印Ａ方向に観た状態で左右の中心に位置する中間構成体２と、中間構成体２の右側に対して連結するように組立てられる右側構成体３と、中間構成体２の左側に対して連結するように組立てられる左側構成体４と、を備えるようにして構成される。
【００１７】
中間構成体２、右側構成体３、左側構成体４のそれぞれは、図６の展開図に示す全体紙製の扁平材をそれぞれ折り込んで構成され、図６に示す各扁平材を組立て、図１に示す内部の展示載置領域５の上面に、商品等の展示物を載置して使用するものとされる。すなわち、展示載置領域５に支持された展示物は、展示物の支持体１の前面側に立つ看者に向けて展示することを可能とする。したがって、看者においては、図１の矢印Ａ方向において展示載置領域５に支持され、収容された展示物を視認することが可能となる。
【００１８】
各構成体のうち、中間構成体２は図６に示す展開図中の２に示す全体方形状の紙製扁平材を折り込み、形成される。折り込みは、図３に示すように切り抜いた構成体２を立体になるように折り込んで形成され、先ず折り線２Ａ、２Ｂ、２Ｃ、２Ｄのそれぞれを図３のように谷折りにする。すると、先ず上面に展示物を載置するための方形状の展示面部１２Ａが形成される。また展示面部１２Ａの後方側に展示面部１２Ａに対してＬ字状をなすように略直角に立設される背景面部１２Ｂが形成される。この背景面部１２Ｂは、後述する組立状態において、展示面部１２Ａの前方側の看者に対し、展示面部１２Ａ上に載置される展示物の背景をなす面部を構成することとなる。
【００１９】
また、折り線２Ｃ、２Ｄにより折り込まれた展示面部１２Ａの前方側には、展示面部１２Ａに対してＬ字状をなすように略直角に立設され、後述する組立状態において、展示面部１２Ａ上に載置される展示物の前方位置を規制する前方フラップ１２Ｃ、１２Ｄが、その構成部１２Ｃ、１２Ｄ同士が重合状態となるようにして形成されることとなる。これら前方フラップの構成部１２Ｃ、１２Ｄ同士は、相互に接着剤を用いて接着される。
【００２０】
さらに折り線２Ａにより折り込まれた背景面部１２Ｂの上部には、折り返し片１２Ｅが形成され、図３に示すように背景面部１２Ｂに対して重合状態となるようにしている。重合状態となった折り返し片１２Ｅも背景面部１２Ｂに対して接着剤を用いて接着される。
【００２１】
中間構成体２の展示面部１２Ａには、図６に示すように予め左右２本のスリット２２Ａ、２２Ｂ、並びに３２Ａ３２Ｂが２列にわたって形成される。各スリット２２Ａ、２２Ｂ、３２Ａ、３２Ｂは、図３に示す中間構成体２の組立状態、さらに図１に示す中間構成体２の左右の構成体３、４に対する組立状態において左右方向に延設される。
【００２２】
また、中間構成体２の背景面部１２Ｂには、図６に示すように予め左右２本のスリット４３Ａ、４３Ｂが形成される。スリット４３Ａ、４３Ｂのそれぞれも、図３に示す中間構成体２の組立状態、さらに図１に示す中間構成体２の左右の構成体３、４に対する組立状態において左右方向に延設される。
【００２３】
右側構成体３は、図６に示す展開図中の３Ｘ、３Ｙに示す２つの紙製扁平材を、それぞれ図４に示すように折り込み、両者を結合して形成される。先ず図６に示す扁平材３Ｘ（右側構成体）の折り込みは、切り抜いた図６の扁平材３Ｘを、折り線３ＸＡ、３ＸＢの部分で谷折りにする。続いて図６に示す扁平材３Ｙ（右側構成体）の折り込みは、切り抜いた図６の扁平材３Ｙを、折り線３ＹＡ、３ＹＢ、３ＹＣ、３ＹＤ、３ＹＥ、３ＹＦ、３ＹＧの部分で谷折りにし、加えて折り線３ＹＨ、３ＹＩ、３ＹＪの部分で山折りにする。
【００２４】
扁平材３Ｘの折り込みは、図４に示すように折り線３ＸＡを上方にして、折り込まれた略方形状の２つの右背景面部１３ＸＡ、１３ＸＢ同士が相互に重合され、垂直に立設されるように矢印方向に行われる。また、接続片１３ＸＣの部分の折り込みは、正面より観て（図１の矢印Ａ方向から観て）接続片１３ＸＣの面部が右側に向くように折り線３ＸＢの部分を折り込んで行われる。
【００２５】
一方、扁平材３Ｙの折り込みは、図４に示すように略方形状の２つの右展示面部１３ＹＡ、１３ＹＢ同士が水平になるよう、これら面部１３ＹＡ、１３ＹＢ同士が相互に重合されるように行われる。また、右展示面部１３ＹＢの右方側に連続される右側面部１３ＹＣは、右展示面部１３ＹＢに対してＬ字状をなすよう、略直角に立設されるようにして折り線３ＹＦの部分で折り込まれる。また重合された右展示面部１３ＹＡ、１３ＹＢの前方側には、右展示面部１３ＹＡ、１３ＹＢに対してＬ字状をなすように略直角に右前方フラップ１３ＹＤ、１３ＹＥが立設される。すなわち、右前方フラップ１３ＹＤ、１３ＹＥは、各折り線３ＹＢ、３ＹＣ、３ＹＨを折り込むことにより、その構成部１３ＹＤ、１３ＹＥ同士が重合状態となるよう形成される。
【００２６】
加えて、対応する右展示面部１３ＹＡ、１３ＹＢに連続する接続片１３ＹＦ、１３ＹＧは、右展示面部１３ＹＡ、１３ＹＢの後方側において、右展示面部１３ＹＡ、１３ＹＢに対してＬ字状をなすように略直角に立設される。すなわち、接続片１３ＹＦ、１３ＹＧは、各折り線３ＹＡ、３ＹＩを折り込むことにより、その構成部１３ＹＦ、１３ＹＧが重合状態となるように形成される。
【００２７】
右展示面部１３ＹＡに連続する接続片１３ＹＨは、右展示面部１３ＹＡに対してＬ字状をなすよう略直角に立設され、そのため折り線３ＹＪの部分が折り込まれる。右前方フラップ１３ＹＤ、１３ＹＥに連続する接続片１３ＹＩは、右前方フラップの構成部１３ＹＥに対してＬ字状をなすよう略直角に立設され、そのため折り線３ＹＧの部分が折り込まれる。さらに右側面部１３ＹＣに連続する接続片１３ＹＫと１３ＹＪのそれぞれは、右側面部１３ＹＣに対して重合されるように曲折され、そのためそれぞれ折り線３ＹＤ、３ＹＥの部分が折り込まれる。
【００２８】
こうして図４に示すようにして矢印方向に折り込まれた扁平材３Ｙの各接続片１３ＹＦ、１３ＹＧ、１３ＹＨ、１３ＹＩ、１３ＹＪ、１３ＹＫのうち、先ず接続片１３ＹＦは、図４に示す状態で立設された扁平材３Ｘの右背景面部１３ＸＢの折り込まれた下縁内側に接着剤を用いて接着される。また、接続片１３ＹＧは、図４に示す状態で立設された扁平材３Ｘの右背景面部１３ＸＡの折り込まれた下縁外側に接着剤を用いて接着される（図２参照）。
【００２９】
また接続片１３ＹＨは、水平状態にある右展示面部１３ＹＡ、１３ＹＢに対し、Ｌ字状に立設された右側面部１３ＹＣの下縁内側に接着剤を用いて接着される。また接続片１３ＹＩの、水平状態にある右展示面部１３ＹＡ、１３ＹＢに対し、Ｌ字状に立設された右側面部１３ＹＣの下縁内側の前方に接着剤を用いて接着される。さらに曲折状態で折り込まれた接続片１３ＹＫ、１３ＹＪのそれぞれは、接着剤を用いて右側面部１３ＹＣに重合状態で接着されることとなる。
【００３０】
一方、扁平材３Ｘにおいて、右背景面部１３ＸＢに重合される状態で垂直に立設される右背景面部１３ＸＡに連続する接続片１３ＸＣは、図４に示すように正面より観て（図１の矢印Ａ方向から観て）、右側に向くように折り込まれ、この部分は接着剤を用いて右側面部１３ＹＣの後方縁内側に接着される状態となる（図４の矢印Ｂ参照）。この結果、紙製の扁平材３Ｘと扁平材３Ｙのそれぞれが、立体的になるように、組立てられて結合され、図１および図２で示すように、右側構成体３が形成される。すなわち、右側構成体３は、図１に示すように中間構成体２の展示面部１２Ａの前面側の看者から観た右側に連結するように組立てられる。
【００３１】
右側構成体３の中間構成体２に対する連結は、右側構成体３の重合された２つの右展示面部１３ＹＡ、１３ＹＢの間の隙間に中間構成体２の展示面部１２Ａの右端部を、右側構成体３の重合された２つの背景面部１３ＸＡ、１３ＸＢの間の隙間に中間構成体２の背景面部１２Ｂの右端部を、重合された２つの右側前方フラップの構成部１３ＹＤ、１３ＹＥの間に中間構成体２の前方フラップの重合された構成部１２Ｃ、１２Ｄの右端部を、それぞれ挿入するようにして行われる。これにより、中間構成体２の展示面部１２Ａの右端側が右側構成体３の右展示面部１３ＹＡ、１３ＹＢと重合する状態でスライド可能に連接され、さらに中間構成体２の背景面部１２Ｂの右端側が右側構成体３の右背景面部１３ＸＡ、１３ＸＢに重合する状態でスライド可能に連接されることとなる。
【００３２】
右側構成体３のうち、右展示面部１３ＹＢの左端側には一対の係合片５１、５２が前後に備えられる。各係合片５１、５２は、図６に示す紙製の扁平材３Ｙの右展示面部１３ＹＢを切り起こして舌片状に形成される。また、右側構成体３のうち、右背景面部１３ＸＡの左端側には係合片５３が備えられる。係合片５３は、図６に示す紙製の扁平材３Ｘの右背景面部１３ＸＡを切り起こして舌片状に形成される。
【００３３】
各係合片５１、５２、５３のうち、係合片５１は、２つの右展示面部１３ＹＡ、１３ＹＢの間の隙間に挿入される中間構成体２の展示面部１２Ａに形成されるスリット３２Ｂと係合される。また係合片５２は、２つの右展示面部１３ＹＡ、１３ＹＢの間の隙間に挿入される中間構成体２の展示面部１２Ａに形成されるスリット２２Ｂと係合される。さらに係合片５３は、２つの背景面部１３ＸＡ、１３ＸＢの間の隙間に挿入される中間構成体２の背景面部１２Ｂに形成されるスリット４３Ｂと係合される。
【００３４】
こうして対応する各係合片５１、５２、５３とスリット２２Ｂ、３２Ｂ、４３Ｂとが係合される状態となり、中間構成体２の展示面部１２Ａの右端側が右側構成体３の右展示面部１３ＹＡ、１３ＹＢに、中間構成体２の背景面部１２Ｂの右端側が右側構成体３の右背景面部１３ＸＡ、１３ＸＢに、それぞれ重合する状態で図１の矢印Ｘ方向においてスライド可能に連接されることとなる。この際、各スリット２２Ｂ、３２Ｂ、４３Ｂは左右方向（Ｘ方向）に延設されるため、各係合片５１、５２、５３が対応するスリット２２Ｂ、３２Ｂ、４３Ｂにガイドされる状態となる。この結果、中間構成体２に対し、中間構成体２の展示面部１２Ａの前面側の看者から観た右側に、右側支持体３が矢印Ｘ方向にスライド可能に連結され、組立てられることとなる。
【００３５】
一方、左側構成体４は、図６に示す展開図中の４Ｘ、４Ｙに示す２つの紙製扁平材を、それぞれ図５に示すように折り込み、両者を結合して形成される。先ず図６に示す扁平材４Ｘ（左側構成体）の折り込みは、切り抜いた図６の扁平材４Ｘを、折り線４ＸＡ、４ＸＢの部分で谷折りにする。続いて図６に示す扁平材４Ｙ（左側構成体）の折り込みは、切り抜いた図６の扁平材４Ｙを、折り線４ＹＡ、４ＹＢ、４ＹＣ、４ＹＤ、４ＹＥ、４ＹＦ、４ＹＧの部分で谷折りにし、加えて折り線４ＹＨ、４ＹＩ、４ＹＪの部分で山折りにする。
【００３６】
扁平材４Ｘの折り込みは、図５に示すように折り線４ＸＡを上方にして、折り込まれた略方形状の２つの左背景面部１４ＸＡ、１４ＸＢ同士が相互に重合され、垂直に立設されるように矢印方向に行われる。また、接続片１４ＸＣの部分の折り込みは、正面より観て（図１の矢印Ａ方向から観て）接続片１４ＸＣの面部が左側に向くように折り線４ＸＢの部分を折り込んで行われる。
【００３７】
一方、扁平材４Ｙの折り込みは、図５に示すように略方形状の２つの左展示面部１４ＹＡ、１４ＹＢ同士が水平になるよう、これら面部１４ＹＡ、１４ＹＢ同士が相互に重合されるように行われる。また、左展示面部１４ＹＢの左方側に連続される左側面部１４ＹＣは、左展示面部１４ＹＢに対してＬ字状をなすよう、略直角に立設されるようにして折り線４ＹＦの部分で折り込まれる。また重合された左展示面部１４ＹＡ、１４ＹＢの前方側には、左展示面部１４ＹＡ、１４ＹＢに対してＬ字状をなすように略直角に左前方フラップ１４ＹＤ、１４ＹＥが立設される。すなわち、左前方フラップ１４ＹＤ、１４ＹＥは、各折り線４ＹＢ、４ＹＣ、４ＹＨを折り込むことにより、その構成部１４ＹＤ、１４ＹＥ同士が重合状態となるよう形成される。
【００３８】
加えて、対応する左展示面部１４ＹＡ、１４ＹＢに連続する接続片１４ＹＦ、１４ＹＧは、左展示面部１４ＹＡ、１４ＹＢの後方側において、左展示面部１４ＹＡ、１４ＹＢに対してＬ字状をなすように略直角に立設される。すなわち、接続片１４ＹＦ、１４ＹＧは、各折り線４ＹＡ、４ＹＩを折り込むことにより、その構成部１４ＹＦ、１４ＹＧが重合状態となるように形成される。
【００３９】
左展示面部１４ＹＡに連続する接続片１４ＹＨは、左展示面部１４ＹＡに対してＬ字状をなすよう略直角に立設され、そのため折り線４ＹＪの部分が折り込まれる。左前方フラップ１４ＹＤ、１４ＹＥに連続する接続片１４ＹＩは、左前方フラップの構成部１４ＹＥに対してＬ字状をなすよう略直角に立設され、そのため折り線４ＹＧの部分が折り込まれる。さらに左側面部１４ＹＣに連続する接続片１４ＹＫと１４ＹＪのそれぞれは、左側面部１４ＹＣに対して重合されるように曲折され、そのためそれぞれ折り線４ＹＤ、４ＹＥの部分が折り込まれる。
【００４０】
こうして図５に示すようにして矢印方向に折り込まれた扁平材４Ｙの各接続片１４ＹＦ、１４ＹＧ、１４ＹＨ、１４ＹＩ、１４ＹＪ、１４ＹＫのうち、先ず接続片１４ＹＦは、図５に示す状態で立設された扁平材４Ｘの左背景面部１４ＸＢの折り込まれた下縁内側に接着剤を用いて接着される。また、接続片１４ＹＧは、図５に示す状態で立設された扁平材４Ｘの右背景面部１４ＸＡの折り込まれた下縁外側に接着剤を用いて接着される（図２参照）。
【００４１】
また接続片１４ＹＨは、水平状態にある左展示面部１４ＹＡ、１４ＹＢに対し、Ｌ字状に立設された左側面部１４ＹＣの下縁内側に接着剤を用いて接着される。また接続片１４ＹＩの、水平状態にある左展示面部１４ＹＡ、１４ＹＢに対し、Ｌ字状に立設された左側面部１４ＹＣの下縁内側の前方に接着剤を用いて接着される。さらに曲折状態で折り込まれた接続片１４ＹＫ、１４ＹＪのそれぞれは、接着剤を用いて左側面部１４ＹＣに重合状態で接着されることとなる。
【００４２】
一方、扁平材４Ｘにおいて、左背景面部１４ＸＢに重合される状態で垂直に立設される左背景面部１４ＸＡに連続する接続片１４ＸＣは、図５に示すように正面より観て（図１の矢印Ａ方向から観て）、左側に向くように折り込まれ、この部分は接着剤を用いて左側面部１４ＹＣの後方縁内側に接着される状態となる（図５の矢印Ｃ参照）。この結果、紙製の扁平材４Ｘと扁平材４Ｙのそれぞれが、立体的になるように、組立てられて結合され、図１および図２で示すように、左側構成体４が形成される。すなわち、左側構成体４は、図１に示すように中間構成体２の展示面部１２Ａの前面側の看者から観た左側に連結するように組立てられる。
【００４３】
左側構成体４の中間構成体２に対する連結は、左側構成体４の重合された２つの左展示面部１４ＹＡ、１４ＹＢの間の隙間に中間構成体２の展示面部１２Ａの左端部を、左側構成体４の重合された２つの背景面部１４ＸＡ、１４ＸＢの間の隙間に中間構成体２の背景面部１２Ｂの左端部を、重合された２つの左側前方フラップの構成部１４ＹＤ、１４ＹＥの間に中間構成体２の前方フラップの重合された構成部１２Ｃ、１２Ｄの左端部を、それぞれ挿入するようにして行われる。これにより、中間構成体２の展示面部１２Ａの左端側が左側構成体４の左展示面部１４ＹＡ、１４ＹＢと重合する状態でスライド可能に連接され、さらに中間構成体２の背景面部１２Ｂの左端側が左側構成体４の左背景面部１４ＸＡ、１４ＸＢに重合する状態でスライド可能に連接されることとなる。
【００４４】
左側構成体４のうち、左展示面部１４ＹＢの右端側には一対の係合片５４、５５が前後に備えられる。各係合片５４、５５は、図６に示す紙製の扁平材４Ｙの左展示面部１４ＹＢを切り起こして舌片状に形成される。また、左側構成体４のうち、左背景面部１４ＸＡの右端側には係合片５６が備えられる。係合片５６は、図６に示す紙製の扁平材４Ｘの左背景面部１４ＸＡを切り起こして舌片状に形成される。
【００４５】
各係合片５４、５５、５６のうち、係合片５４は、２つの左展示面部１４ＹＡ、１４ＹＢの間の隙間に挿入される中間構成体２の展示面部１２Ａに形成されるスリット３２Ａと係合される。また係合片５５は、２つの左展示面部１４ＹＡ、１４ＹＢの間の隙間に挿入される中間構成体２の展示面部１２Ａに形成されるスリット２２Ａと係合される。さらに係合片５６は、２つの背景面部１４ＸＡ、１４ＸＢの間の隙間に挿入される中間構成体２の背景面部１２Ｂに形成されるスリット４３Ａと係合される。
【００４６】
こうして対応する各係合片５４、５５、５６とスリット２２Ａ、３２Ａ、４３Ａとが係合される状態となり、中間構成体２の展示面部１２Ａの左端側が左側構成体４の左展示面部１４ＹＡ、１４ＹＢに、中間構成体２の背景面部１２Ｂの左端側が左側構成体４の左背景面部１４ＸＡ、１４ＸＢに、それぞれ重合する状態で図１の矢印Ｘ方向においてスライド可能に連接されることとなる。この際、各スリット２２Ａ、３２Ａ、４３Ａは左右方向（Ｘ方向）に延設されるため、各係合片５４、５５、５６が対応するスリット２２Ａ、３２Ａ、４３Ａにガイドされる状態となる。この結果、中間構成体２に対し、中間構成体２の展示面部１２Ａの前面側の看者から観た左側に、左側支持体４が矢印Ｘ方向にスライド可能に連結され、組立てられることとなる。
【００４７】
こうして中間構成体２の右側に右側構成体３、中間構成体２の左側に左側構成体４が連結して組立てられる展示物の支持体１は、中間構成体２上の展示面部１２Ａの上面とこれに連接される右側構成体３の右展示面部１３ＹＡの上面、左側構成体４の左展示面部１４ＹＡの上面と、で構成される展示物の展示載置領域５、さらに右側構成体３の右側面部１３ＹＣと左側構成体４の左側面部１４ＹＣ間の長さを、中間構成体２に対する左右の構成体３、４のスライドにより、可変に調整することが可能となる。
【００４８】
ここで組立てられた支持体１において、展示面部１２Ａ、左右の展示面部１３ＹＡ、１４ＹＡとで構成される展示載置領域５の後方側には、展示面部１２Ａ、１３ＹＡ、１４ＹＡの前方側の看者に対し、展示載置領域５に載置される展示物の背景をなす各背景面部１２Ｂ、１３ＸＢ、１４ＸＢが、各展示面部１２Ａ、１３ＹＡ、１４ＹＡに対しＬ字形をなすように略直角に立設されることとなる。
【００４９】
また組立てられた支持体１において、展示面部１２Ａ、左右の展示面部１３ＹＡ、１４ＹＡとで構成される展示載置領域５の右側端部には、各展示面部１２Ａ、１３ＹＡ、１４ＹＡに対しＬ字形をなすように略直角に右側面部１３ＹＣが立設され、同様に左側端部には左側面部１４ＹＣが立設されることとなる。
【００５０】
また組立てられた支持体１において、展示面部１２Ａ、左右の展示面部１３ＹＡ、１４ＹＡで構成される展示載置領域５の前方側には、各展示面部１２Ａ、１３ＹＡ、１４ＹＡに対しＬ字状をなすように略直角に各前方フラップ１２Ｃ、１３ＹＥ、１４ＹＥが連続して立設されることとなる。
【００５１】
こうして展示載置領域５に載置される展示物は、前後左右をそれぞれ前方フラップ１２Ｃ、１３ＹＥ、１４ＹＥ、左右側面部１３ＹＣ、１４ＹＣ、各背景面部１２Ｂ、１３ＸＢ、１４Ｂで位置規制されることとなる。
【００５２】
すなわち、展示載置領域５は、中間構成体２に対し、左右の構成体３、４の各係合片５１、５２、５３、５４、５５、５６を、対応するスリット２２Ａ、２２Ｂ、３２Ａ、３２Ｂ、４３Ａ、４３Ｂにガイドさせる状態でスライドし、その大きさや長さをＸ方向に可変に調整することが可能となり、しかも該領域５は前後左右をそれぞれの面材で囲むようにしているため、展示物の確実は支持および展示が可能となる。
【００５３】
このように上記展示物の支持体１によれば、展示面部１２Ａ、あるいは左右の展示面部１３ＹＡ、１４ＹＡの上面に載置され、かつ背景面部１２Ｂあるいは左右の背景面部１３ＸＢ、１４ＸＢと左右の側面部１３ＹＣ、１４ＹＣ間で位置規制する展示物（商品）の大きさや長さに応じて、展示物を展示載置領域５に確実に展示することが可能となる。
【００５４】
加えて、中間構成体２と左右の構成体３、４のそれぞれは、図６に示す展開状態の紙製の扁平材を折り込み、組立てることが可能なため、組立ておよび分解が簡単で、極めて利便性の高い展示具を提供することが可能となる。
【００５５】
なお、上記実施形態では、中間構成体２の展示面部１２Ａ、背景面部１２Ｂのそれぞれに左右方向に延設される各スリット２２Ａ、２２Ｂ、３２Ａ、３２Ｂ、４３Ａ、４３Ｂを形成し、各スリット２２Ａ、２２Ｂ、３２Ａ、３２Ｂ、４３Ａ、４３Ｂに対応して係合する係合片５１、５２、５３、５４、５５、５６を、左右の構成体３、４の対応する展示面部、背景面部に形成しているが、これとは逆に中間構成体の展示面部と重合する状態で連接される右展示面部と左展示面部、あるいは中間構成体の背景面部と重合する状態で連接される右背景面部と左背景面部に、それぞれの左右方向に延設させてスリットを形成し、一方該右展示面部と左展示面部と重合する状態で連接される中間構成体の展示面部、あるいは右背景面部と左背景面部と重合する状態で連接される中間構成体の背景面部に、それぞれ上記各面部に形成されたスリットと係合可能とされる係合片を形成してもよい。
【００５６】
また上記実施形態では、左右の各構成体３、４をそれぞれ２つの扁平材３Ｘと３Ｙ、４Ｘと４Ｙで構成し、それぞれを接続して組立てるようにして形成しているが、左右それぞれ一枚の扁平材を折り込むような形態のものとしてもよい。
【００５７】
加えて上記実施形態では、左右の各構成体３、４のうち、左右の背景面部１３ＸＡ、１３ＸＢ、１４ＸＡ、１４ＸＢと、左右の展示面部１３ＹＡ、１３ＹＢ、１４ＹＡ、１４ＹＢのそれぞれを、２枚の面材を重合させるようにした構成としているが、それぞれ１枚の面材で構成することとしてもよい。
【産業上の利用可能性】
【００５８】
以上のように、本考案に係る展示物の支持体によれば、中間構成体上の展示面部とこれに連接される右側構成体の右展示面部、左側構成体の左展示面部とで構成される展示物の展示載置領域を、中間構成体に対する左右の構成体のスライドにより可変に調整することが可能となり、様々な大きさの商品を展示する商店やショールームにおいて最適な展示具を提供することができる。
【符号の説明】
【００５９】
１      展示物の支持体
２      中間構成体
２Ａ、２Ｂ、２Ｃ、２Ｄ  折り線
３      右側構成体
３Ｘ、３Ｙ、４Ｘ、４Ｙ  扁平材
３ＸＡ、３ＸＢ、３ＹＡ、３ＹＢ、３ＹＣ、３ＹＤ、
３ＹＥ、３ＹＦ、３ＹＧ、３ＹＨ、３ＹＩ、３ＹＪ、
４ＸＡ、４ＸＢ、４ＹＡ、４ＹＢ、４ＹＣ、４ＹＤ、
４ＹＥ、４ＹＦ、４ＹＧ、４ＹＨ、４ＹＩ、４ＹＪ    折り線
４      左側構成体
５      展示載置領域
１２Ａ  展示面部
１２Ｂ  背景面部
１２Ｃ、１２Ｄ  前方フラップ
１２Ｅ  折り返し片
１３ＸＡ、１３ＸＢ  右背景面部
１３ＹＡ、１３ＹＢ  右展示面部
１３ＹＣ  右側面部
１３ＹＤ、１３ＹＥ  右前方フラップ
１３ＸＣ、１３ＹＦ、１３ＹＧ、１３ＹＨ、
１３ＹＩ、１３ＹＪ、１３ＹＫ、
１４ＸＣ、１４ＹＦ、１４ＹＧ、１４ＹＨ、
１４ＹＩ、１４ＹＪ、１４ＹＫ              接続片
１４ＸＡ、１４ＸＢ  左背景面部
１４ＹＡ、１４ＹＢ  左展示面部
１４ＹＣ  左側面部
１４ＹＤ、１４ＹＥ  左前方フラップ
２２Ａ、２２Ｂ、３２Ａ、３２Ｂ、４３Ａ、４３Ｂ  スリット
５１、５２、５３、５４、５５、５６  係合片
【図１】
0003160580.tif 000003
【図２】
0003160580.tif 000004
【図３】
0003160580.tif 000005
【図４】
0003160580.tif 000006
【図５】
0003160580.tif 000007
【図６】
0003160580.tif 000008
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
全体紙製の扁平材を折り込んで構成される各構成材を組立て、内部上面に展示物を載置し、展示物を看者に向けて展示可能に収容する展示物の支持体であって、  全体方形状の紙製扁平材を折り込み、少なくとも上面に展示物を載置するため方形状の展示面部と、展示面部の後方側に展示面部に対してＬ字状をなすように略直角に立設され、展示面部の前方側の看者に対し、展示面部上に載置される展示物の背景をなす状態とされる背景面部と、を備える中間構成体と、
上記中間構成体に対し、中間構成体の展示面部の前面側の看者から観た右側に連結するようにして組立てられ、全体紙製の扁平材を折り込んで構成され、少なくとも、中間構成体の展示面部と重合する状態でスライド可能に連接され、上面を展示物を載置するための載置面とした右展示面部と、右展示面部の右方側に右展示面部に対してＬ字状をなすように略直角に立設され、右展示面部上に載置される展示物の右側位置を規制する右側面部を備えるとともに、全体紙製の扁平材からなり、右展示面部の後方側に右展示面部に対してＬ字状をなすように略直角に立設する状態で接続され、かつ中間構成体の展示面部と重合する状態でスライド可能に連接され、右展示面部の前方側の看者に対し、右展示面部上に載置される展示物の背景をなす状態とされる右背景面部と、を備える右側構成体と、
上記中間構成体に対し、中間構成体の展示面部の前面側の看者から観た左側に連結するようにして組立てられ、全体紙製の扁平材を折り込んで構成され、少なくとも、中間構成体の展示面部と重合する状態でスライド可能に連接され、上面を展示物を載置するための載置面とした左展示面部と、左展示面部の左方側に左展示面部に対してＬ字状をなすように略直角に立設され、左展示面部上に載置される展示物の左側位置を規制する左側面部を備えるとともに、全体紙製の扁平材からなり、左展示面部の後方側に左展示面部に対してＬ字状をなすように略直角に立設する状態で接続され、かつ中間構成体の展示面部と重合する状態で左展示面部の前面側の看者に対し、左展示面部上に載置される展示物の背景をなす状態とされる左背景面部と、を備える左側構成体と、
を備えたことを特徴とする展示物の支持体。
【請求項２】
中間構成体の展示面部、あるいは背景面部には、その左右方向に延設されるスリットが形成され、一方該展示面部と重合する状態で連接される右展示面部と左展示面部、あるいは中間構成体の背景面部と重合する状態で連接される右背景面部と左背景面部には、上記スリットに係合可能とされる係合片が形成され、該係合片を各面部を構成する紙製の扁平材を切り起こして形成したことを特徴とする請求項１に記載の展示物の支持体。
【請求項３】
中間構成体の展示面部と重合する状態で連接される右展示面部と左展示面部、あるいは中間構成体の背景面部と重合する状態で連接される右背景面部と左背景面部には、それぞれの左右方向に延設されてスリットが形成され、一方該右展示面部と左展示面部と重合する状態で連接される中間構成体の展示面部、あるいは右背景面部と左背景面部と重合する状態で連接される中間構成体の背景面部には、それぞれ上記各面部に形成されたスリットと係合可能とされる係合片が形成され、該係合片を各面部を構成する紙製の扁平材を切り起こして形成したことを特徴とする請求項１に記載の展示物の支持体。
【請求項４】
中間構成体の展示面部の前方側には、展示面部に対してＬ字状をなすように略直角に立設され、展示面部上に載置される展示物の前方位置を規制する前方フラップを備えることとした請求項１に記載の展示物の支持体。
【請求項５】
右側構成体の右展示面部の前方側、あるいは左側構成体の左展示面部の前方側には、各展示面部に対してＬ字状をなすように略直角に立設され、各展示面部上に載置される展示物の前方位置を規制する前方フラップを備えることとした請求項１に記載の展示物の支持体。